(57)【要約】      （修正有）【課題】放熱効果がアップし、台座の温度が直接ユーザーに伝わるのを防止する携帯型ノートパソコンの構造を提供する。【解決手段】台座２、蝶番５１、蓋板３、キーボード４から構成され、台座にはディスプレイ装置２１を設け、蝶番装置の第一接続部５１を台座の第一被接続部２２と接続し、蝶番装置の第二接続部５３を蓋板３の第二被接続部３１に接続して、蓋板３を蝶番５１を介して回転して開閉、及び台座２後側に折り曲げ可能とする。蓋板３に収納部３２を設けてキーボード４の収納部とし、コード若しくはコードレスとしてデータ入力する。蓋板３を台座２後側に折り曲げた状態で台座２を立ててディスプレイ２１を見ることができ、また、蓋板３を台座２側に折り畳んだ状態で台座２との間に形成される空間が放熱空間となる。【選択図】図１
0003149257.tif 000002
【実用新案登録請求の範囲】
【請求項１】
台座、少なくとも一つの蝶番、蓋板、キーボードからなり、
台座にはディスプレイ装置を設け、該台座は第一被接続部を設け、
蝶番装置は第一接続部及び第二接続部を設けて、第一接続部を台座の第一被接続部に接続し、
蓋板に収納部を設け、該蓋板に第二被接続部を設けて、第二被接続部を蝶番装置の第二接続部と接続し、
キーボードは蓋板の収納部に設置することを特徴とする携帯型ノートパソコンの構造。
【請求項２】
前記ディスプレイ装置は、タッチパネルであり、
該蓋板にはキーボードを掛止する一対の掛合部を設け、該掛合部は突出したボールとして、弾性部品により該ボールを掛合相手に押圧する構造としたことを特徴とする請求項1記載の携帯型ノートパソコンの構造。
【請求項３】
前記キーボードに上記蓋板の掛合部と嵌合する一対の凹孔を設け、キーボードと台座との信号伝送はシグナルケーブル又はコードレスとしたことを特徴とする請求項1記載の携帯型ノートパソコンの構造。
【考案の詳細な説明】
【技術分野】
【０００１】
本考案は携帯型ノートパソコンの構造に関し、特に第二接続部を該蓋板の第二被接続部と接続することにより、該蓋板が該台座の後方に折り曲げるのと同時に、蓋板を台座の底部に折り曲げ、携帯型パソコンに形成する際、放熱空間ができ、放熱効果がアップする。及び、台座の温度が直接ユーザーに伝わるのを防止する目的に達する。
【背景技術】
【０００２】
公知の中華民国特許申請案第093217895号の「折りたたみタイプ電子装置」の構造では、第一機体、第二機体及び蝶番装置を設け、第二機体に固定台を設置し、該蝶番装置を固定台に設置し、且つ該蝶番装置を第一機体及び第二機体の間に設置する。また、蝶番装置に第一回転軸及び第二回転軸を設け、第一回転軸により、第一機体は第二機体と平面貼合し、第二回転軸により、第一機体が軸線回転することができる。
【０００３】
前記技術は、第一機体(ディスプレイ)を第二機体(本体)に貼合或いは反転できるが、該第一機体(ディスプレイ)を回転し、第二機体(本体)に貼合する際、第一機体(ディスプレイ)は第二機体(本体)のキーボードを覆うため、ユーザーがキーボードを使って資料を入力する場合、第一機体(ディスプレイ)を元の位置に回転しないといけないため、使用上不便である。また、ユーザーが手で直接第二機体(本体)を持つ場合、第二機体(本体)は作動熱で熱くなるため、ユーザーは長時間持っていられないなど、更なる改善が必要であった。
【特許文献１】特開２００１−５５６３号公報
【特許文献２】特開２００４−２７２８０７号公報
【考案の開示】
【考案が解決しようとする課題】
【０００４】
前記従来技術の欠点を解決するため、本考案は携帯型のノートパソコン構造を提供することを主な課題とする。
【課題を解決するための手段】
【０００５】
前記課題を解決するため、本考案は台座、少なくとも一つの蝶番装置、蓋板、キーボードから構成する携帯型ノートパソコンの構造を提供するものである。台座にはディスプレイ装置を設け、該台座は第一被接続部及び第二被接続部を設ける。蝶番装置は第一接続部及び第二接続部を設け、第一接続部を台座の第一被接続部と接続する。蓋板に収納部を設け、該蓋板に第二被接続部を設置し、第二被接続部を蝶番装置の第二接続部と接続する。キーボードは蓋板の収納部に設置する。
【０００６】
第一接続部を台座の第一被接続部と接続することにより、蓋板は回転して開くことができる。また、第二接続部を蓋板の第二被接続部と接続することで、蓋板は台座後方にまで折り曲げることができると同時に、蓋板を台座底部側に折り曲げると、携帯型パソコンを形成し、放熱空間も同時に形成するため、放熱効果もアップする。及び台座の温度が直接ユーザーに伝わるのを防止する目的にも達する。
【考案の効果】
【０００７】
蝶番装置の第二接続部を蓋板の第二被接続部と接続することで、蓋板は台座の後方に折り曲げることができ、同時に蓋板が台座の底部にまで折り曲げると、携帯型パソコンを形成し、放熱空間も同時に形成するため、放熱効果がアップする。及び台座の温度が直接ユーザーに伝わるのを防止する目的にも達する。
【考案を実施するための最良の形態】
【０００８】
本考案による携帯型ノートパソコンの構造を明確に示すために図に沿って詳細な説明を行う。図1、図2に示すのは、本考案の携帯型ノートパソコン構造である。台座2、少なくとも一つの蝶番装置51、蓋板3、キーボード４を具える。
【０００９】
台座2は、タッチパネルなどのディスプレイ装置21を具え、更に台座2は第一被接続部22を有する。
【００１０】
蝶番装置51は、第一接続部52及び第二接続部53を具え、第一接続部52を台座2の第一被接続部22と接続する。
【００１１】
蓋板3には収納部32を設け、該蓋板3に第二被接続部31を設けて該第二被接続部31を蝶番装置51の第二接続部53と接続する。
また、図3に示すように、蓋板3に掛合部33(ボール或いは凸ブロックなど)と弾性部品331を設ける。該弾性部品331を掛合部33の一端に設置して該掛合部を押圧する。
【００１２】
図4に示すようにキーボード4は、蓋板3の収納部32に設置する。キーボード4の両側に上記蓋板3の掛合部33と掛合する凹孔41を設ける。
キーボードはコードつきキーボードであり、また、キーボード4にシグナルケーブル42を設ける。該シグナルケーブル42の一端は台座2と接続するが、キーボード4はコードレスタイプとしても良い。
【００１３】
図5に示すように、該蝶番装置51の第一接続部52を台座2の第一被接続部22と接続することにより蓋板3は回転して開くことができる。また、該蝶番装置51の第二接続部53を蓋板3の第二被接続部31と接続することにより、蓋板3は台座2の後方に折り曲げることができる。この構造により図6に示すように、台座2をテーブルに直立させることができ、ユーザーがディスプレイを直接見るのに便利である。更に、図7に示すように、キーボード4を蓋板3から外せば、ユーザーはキーボード4でデータ入力することができる。
【００１４】
図8に示すように、蓋板3を台座2の底部に折り曲げ、携帯型パソコンに形成する際、放熱空間をも形成し、放熱効果がアップする。ユーザーが手6で該台座2の底部を持つとき、台座2の温度が直接ユーザーの手6に伝わるのを防止することができる。
【００１５】
本考案の改善点と実用性を従来技術と比較すると下記のとおりである。
従来技術：
1.第一機体(ディスプレイ)と第二機体(本体)のキーボードが貼合する際、キーボードでデータ入力することができない。
2.第二機体(本体)が作動により発熱するため、ユーザーは長時間手に持っていられない。
本考案のメリット：
1.台座をテーブルに直立させることができ、ユーザーはディスプレイを直接見るのに便利である。
2.キーボードを蓋板から外せば、ユーザーは直接キーボードでデータ入力することができる。
3.蓋板を台座底部側に折り曲げて携帯型パソコンにするとき、同時に放熱空間を形成する。
4.蓋板と台座の放熱空間を介し、台座温度が直接ユーザーの手に伝わるのを防止することができる。
【図面の簡単な説明】
【００１６】
【図１】本考案の分解略図である。
【図２】本考案の立体組立略図である。
【図３】本考案のキーボードの凹部と蓋板の掛合部の拡大略図である。
【図４】本考案のキーボードを該蓋板の収納部に設置する略図である。
【図５】本考案の蝶番設置の動作略図である。
【図６】本考案の実施例の略図である。
【図７】本考案の第二実施例の略図である。
【図８】本考案の該台座放熱略図及びユーザーが本考案を手に持つ略図である。
【符号の説明】
【００１７】
2.  台座
21  ディスプレイ
22  第一被接続部
3  蓋板
31  第二被接続部
32  収納部
33  掛合部
331  弾性部品
4  キーボード
41  凹孔
42  シグナルケーブル
51  蝶番装置
52  第一接続部
53  第二接続部
6  手
【図１】
0003149257.tif 000003
【図２】
0003149257.tif 000004
【図３】
0003149257.tif 000005
【図４】
0003149257.tif 000006
【図５】
0003149257.tif 000007
【図６】
0003149257.tif 000008
【図７】
0003149257.tif 000009
【図８】
0003149257.tif 000010